(57)【要約】【課題】音声に応じて表示された画像の任意部分の拡大表示を簡便に行うことができ、作業者の操作性向上を図ることができる表示制御装置および表示制御方法を提供することを目的とする。【解決手段】作業者が「航空機の画像」というように音声入力すると、制御部は、「航空機」に関する画像データを抽出し、表示装置に「航空機」の画像を表示する。ここで、作業者が音声による「拡大表示」を音声入力すると、制御部は、分割画像の境界部分データを抽出し、表示されている画像を分割し、分割画像同士の境界部分を表示する。そして、「１番の拡大表示」というような音声入力があると、制御部は、分割画像の画像データを、画面全体に拡大表示する。【選択図】　図４
2004029933.tif 000002
【特許請求の範囲】
【請求項１】
表示された画像に対する音声による指示を受け付ける指示受付手段と、
前記指示受付手段が拡大指示を受け付けた場合、前記画像を分割してなる分割画像同士の境界部分を表示し、前記指示受付手段が前記分割画像のいずれかの表示指示を受け付けた場合、該当する分割画像を拡大表示する表示制御手段と
を備えたことを特徴とする表示制御装置。
【請求項２】
前記分割画像同士の各境界部分は、重なり領域を有することを特徴とする請求項１記載の表示制御装置。
【請求項３】
前記表示制御手段は、前記指示受付手段が縮小指示を受け付けた場合、前記拡大表示した分割画像を縮小表示することを特徴とする請求項１記載の表示制御装置。
【請求項４】
表示された画像に対する音声による指示を受け付ける第１のステップと、
前記第１のステップが拡大指示を受け付けた場合、前記画像を分割してなる分割画像同士の境界部分を表示し、前記指示受付手段が前記分割画像のいずれかの表示指示を受け付けた場合、該当する分割画像を拡大表示する第２のステップとを備えたことを特徴とする表示制御方法。
【発明の詳細な説明】
【０００１】
【発明の属する技術分野】
本発明は、表示制御装置および表示制御方法に関する。
【０００２】
【従来の技術】
近年、パーソナルコンピュータやインターネットなどの発達に伴って、電子マニュアルが普及している。例えば、整備マニュアルの場合、作業場のＰＣ端末の画面上で図面など表示させて、作業を電子マニュアルで指示することが可能である。ここで、作業によってはＰＣ端末の画面上に現在表示されている図を拡大したいこともあるので、拡大する対象の中心点や拡大する範囲をマウス、ポインティングデバイスなどの位置指示装置で指定するようになっている。
【０００３】
【発明が解決しようとする課題】
しかしながら、整備作業中などに画面上の図面を拡大表示したい場合、作業者は、手が工具などでふさがっていることが多く、位置指示装置を操作できないことがある。
本発明は、上記事情に鑑みてなされたもので、音声に応じて表示された画像の任意部分の拡大表示を簡便に行うことができ、作業者の操作性向上を図ることができる表示制御装置および表示制御方法を提供することを目的とする。
【０００４】
【課題を解決するための手段】
請求項１記載の発明は、表示された画像に対する音声による指示を受け付ける指示受付手段と、前記指示受付手段が拡大指示を受け付けた場合、前記画像を分割してなる分割画像同士の境界部分を表示し、前記指示受付手段が前記分割画像のいずれかの表示指示を受け付けた場合、該当する分割画像を拡大表示する表示制御手段とを備えたことを特徴とする。
このように、受け付けた音声指示に応じて、表示された画像を分割し、分割画像のいずれかの表示指示を受け付けたときに、該当する分割画像を拡大表示するので、作業者は、表示された画像の任意部分の拡大表示を簡便に行うことができ、操作性向上を図ることができる。
【０００５】
請求項２記載の発明は、請求項１記載の発明において、前記分割画像同士の各境界部分は、重なり領域を有することを特徴とする。
このように、分割画像同士の各境界部分が重なり領域を有するようにすることにより、分割画像の境界線が、隣り合う分割画像同士で異なる位置にあるので、拡大表示画像が境界線で切られて部分的に非表示となった場合は、隣り合う他の分割画像、拡大表示させればよく、上記不具合を防止することができる。
請求項３記載の発明は、請求項１記載の発明において、前記表示制御手段は、前記指示受付手段が縮小指示を受け付けた場合、前記拡大表示した分割画像を縮小表示することを特徴とする。
このように、縮小指示を受け付けた場合、拡大した分割画像を縮小表示するので、作業者は、表示された画像の任意部分を簡便にもとの大きさにもどすことができ、操作性向上を図ることができる。
【０００６】
請求項４記載の発明は、表示された画像に対する音声による指示を受け付ける第１のステップと、前記第１のステップが拡大指示を受け付けた場合、前記画像を分割してなる分割画像同士の境界部分を表示し、前記指示受付手段が前記分割画像のいずれかの表示指示を受け付けた場合、該当する分割画像を拡大表示する第２のステップとを備えたことを特徴とする。
【０００７】
【発明の実施の形態】
以下、本発明の表示制御装置および表示制御方法の好適な実施形態について図１ないし図５を参照して詳細に説明する。
本実施形態の表示制御装置は、作業者から音声による拡大指示を受け付けた場合、ＰＣ端末のディスプレイなどの表示部に表示された画像を分割し、分割画像のいずれかの表示指示を受け付けたときに、該当する分割画像を拡大表示できるようにしたものである。
図１は、本実施形態に係る表示制御装置の概観を示した図である。表示制御装置１００には、音声入力を行うマイクが備えられている。作業者は、このマイクに対して所定の音声指示を行うことにより、表示制御装置１００の画像表示部に表示された画像の拡大表示を閲覧することができるようになっている。
【０００８】
以下、本実施形態の一例として、作業者が表示制御装置で航空機用電子マニュアルの図面を閲覧する場合について説明する。
図２は、表示制御装置１００の具体的な構成を示した図である。図２に例示されるように、表示制御装置１００は、パーソナルコンピュータやワードプロセッサなどを含むコンピュータシステムによって構成されている。
表示制御装置１００は、図２に示すようにシステム全体を制御するための制御部１１を備えている。
【０００９】
この制御部１１には、データバスなどのバスラインを介して、キーボード１２、マウス１３、マイク１４などの入力装置、表示装置１５、記憶装置２０、また、必要に応じて、記憶媒体駆動装置、通信制御装置、入出力Ｉ／Ｆ（インタフェース）が接続されている。
制御部１１は、ＣＰＵ（中央処理装置）１１１、ＲＯＭ１１２、ＲＡＭ１１３を備えている。
マイク１４は、作業者からの音声入力を行う音声入力装置である。このマイク１４は、表示された画像に対する音声による指示を受け付ける指示受付手段として機能する。
【００１０】
表示装置１５は、例えばＣＲＴ（Ｃａｔｈｏｄｅ−ｒａｙ　Ｔｕｂｅ）や液晶ディスプレイなどが使用される。この表示装置には、航空機用電子マニュアルとして、例えば、航空機の画像などが表示されるようになっている。さらに、表示装置１５には、マイク１４から入力された音声による指示に応じて、分割された分割画像同士の境界部分（境界線）が表示されるようになっている。
記憶装置２０は、読み書き可能な記憶媒体と、その記憶媒体に対してプログラムやデータなどの各種情報を読み書きするための駆動装置で構成され、プログラム格納部２０１、データ格納部２０２の他、適宜バックアップ格納部などを備えている。
【００１１】
プログラム格納部２０１には、表示装置１５に画像を表示する画像表示プログラム、マイク１４からの音声入力を認識する音声認識プログラム、音声認識プログラムによる認識に応じて、表示された画像を分割し、分割画像同士の境界部分を表示する画像分割プログラム、画像分割プログラムによる分割に応じて、表示装置１５に表示された画像の拡大・縮小を行う画像表示変更プログラム、その他として表示制御装置として機能させるための各種プログラムが格納されている。制御部１１は、プログラム格納部２０１に格納されている各種プログラムに従って、表示制御手段として機能し、表示装置１５の表示を制御する。
【００１２】
データ格納部２０２には、画像データ、分割画像の境界部分を示すデータ（境界線データ）、作業者に関するデータなどの表示制御装置が必要とする各種データが格納されている。なお、データ格納部２０２に格納されている画像データは、平面図、３次元図面などであるとする。また、データ格納部２０２には、整備マニュアルなどの電子マニュアルデータを格納しておき、マニュアルの進行度に応じて、上記画像データを表示させるようにしてもよい。
【００１３】
次に、表示制御装置における表示制御動作について図３から図５を参照しながら説明する。
図３は、表示制御処理の処理手順を示したフローチャートである。また、図４および図５は、表示制御処理における各段階で表示装置１５に表示される画像状態を示した図である。
ここでは、一例として、作業者が航空機の整備マニュアルを閲覧中にマニュアル対応した航空機の画像表示を音声により指示した場合について説明する。
作業者が表示制御装置を起動させ、整備マニュアルのアプリケーションを起動させた後、マニュアル画面において、「航空機の画像」というように音声入力すると、制御部１１は、音声認識プログラムに従って、マイク１４が受け付けた音声入力を認識する。そして、制御部１１は、データ格納部２０２から認識された「航空機」に関する画像データを抽出し、表示装置１５に「航空機」の画像を表示する。
【００１４】
表示装置１５に「航空機」の画像が表示されている場合に、作業者が音声による「拡大表示」という指示をマイク１４から入力すると（ステップＳ３０１）、制御部１１は、音声認識プログラムに従って、拡大指示がされたことを認識する。そして、制御部１１は、画像分割プログラムに従って、データ格納部２０２から分割画像の境界部分データ（例えば、どの画素が境界線に対応するか）を抽出し、図４に示すように、表示装置１５に表示されている画像が分割された分割画像同士の境界部分を表示する（ステップＳ３０２）。図４の「航空機」の画像では、一例として、分割画像４１〜４４の４つの画像に分割された場合が示してある。
なお、この実施形態では、制御部１１は、各分割画像４１〜４４に対し、それぞれ名称「１」〜「４」を表示することにより、作業者が拡大表示させたい画像を音声で指示しやすいようにしている。
【００１５】
ここで、作業者が拡大表示したい分割画像の番号を指定して、「１番の拡大表示」というように音声入力すると（ステップＳ３０３）、制御部１１は、音声認識プログラムに従って、１番の分割画像の拡大指示がされたことを認識する。そして、制御部１１は、画像表示変更プログラムに従って、分割画像４１の画像データを、図５に示すように表示装置１５の画面全体に拡大画像４１０として拡大表示する（ステップＳ３０４）。ここでは例えば、分割画像４１の画像データが画面全体に表示されるよう、各画素の画面上での位置（ピクセル座標）を適宜再計算することで拡大表示がなされる。
図５の画面において、作業者が「縮小表示」というように音声入力すると（ステップ３０５）、制御部１１は、音声認識プログラムに従って、画像の縮小指示がされたことを認識する。そして、制御部１１は、画像表示変更プログラムに従って、分割画像４１の画像データを、図４に示すような元の分割画像４１として縮小表示する（ステップＳ３０６）。
【００１６】
また、この実施形態では、各分割画像４１〜４４同士の境界部分は単なる境界線ではなく、それぞれ重なり領域４１２、４１３、４２４、４３４を有している。重なり領域４１２は分割画像４１，４２の境界部分に、重なり領域４１３は分割画像４１，４３の境界部分に、重なり領域４２４は分割画像４２，４４の境界部分に、重なり領域４３４は分割画像４３，４４の境界部分にそれぞれ設けられる。
このように重なり領域を設けると、次のような利点がある。図６は、重なり領域を示した図である。図６において、境界線４１ｅ，４３ｅはそれぞれ分割画像４１，４３の境界線を表している。重なり領域４１３は、各境界線４１ｅ，４３ｅではさまれる領域となっている。ここで作業者が画像Ｐを拡大表示させたい場合を考える。この画像Ｐは、分割画像４１の境界線４１ｅを横切るとともに、分割画像４３内に完全に含まれているものとする。
【００１７】
この場合に、分割画像４１を拡大表示したとすると、画像Ｐは、境界線４１ｅによって切られることになり、部分的に表示されなくなる。このようなことは、特に作業上、拡大画像を見たい場合などに好ましくない。そこで、作業者が次に分割画像４３を拡大表示させれば、この画像上では画像Ｐは境界線が横切っていないため、完全な拡大画像を表示させることができる。つまり、分割画像の境界線が、隣り合う分割画像同士で異なる位置にあるので、拡大表示画像が境界線で切られて部分的に非表示となった場合は、隣り合う他の分割画像、拡大表示させればよく、上記不具合を防止することができる。
【００１８】
また、図３の処理手順では示さなかったが、作業者による拡大指示や縮小指示に従って、制御部１１が図４および図５の画面を表示装置１５に表示する際、表示制御装置１００から、「分割画像４１を拡大しました」、「分割画像４１を縮小しました」というように画面表示に関する音声出力が行われるようにしてもよい。この場合、図２では図示していないが、表示制御装置１００にスピーカが備えられているものとする。
【００１９】
以上、本発明の表示制御装置および表示制御方法における一実施形態について説明したが、本発明は説明した実施形態に限定されるものではなく、各請求項に記載した範囲において各種の変形を行うことが可能である。
図４の「航空機」の画像では、一例として、分割画像４１〜４４の４つの画像に分割された場合が示してあるが、これに限られるものではない。例えば、２分割、６分割、８分割というように任意の大きさに分割することができるものとする。なお、分割の大きさは、作業者が拡大指示を音声入力する際に、例えば、「４分割」、「８分割」というように、大きさを指示できるようにしてもよいし、あらかじめ表示制御装置１００を起動した際に、作業者が初期設定するようにしてもよい。
【００２０】
また、図４では、分割画像それぞれに番号が付されているものとして説明したが、これに限られるものではなく、分割画像に番号を付さないようにしてもよい。この場合には、あらかじめ分割画像のうち、左上の画像から時計周りに順に番号を付すものというように決めておき、作業者は、分割の大きさに応じて、拡大表示を指示したい画像の番号を音声入力するようにしてもよい。
本実施形態の表示制御装置では、制御部１１のＣＰＵ１１１が、記憶装置２０に格納されている各種プログラムに基づいて、データ格納部２０２に格納されている画像データを表示したりするものとして説明するが、これに限られるものではない。例えば、記憶媒体駆動装置にセットされた外部の記憶媒体からコンピュータを表示制御装置として機能させるためのプログラムを読み込んで、記憶装置２０の各部に格納（インストール）する。そして、本実施形態による画像表示処理、音声認識処理、画像分割処理、画像表示変更処理などを実行する場合、記憶装置２０から該当プログラムをＲＡＭ１１３に読み込み、実行するようになっている。なお、記憶装置２０からではなく、記憶媒体駆動装置により外部の記憶媒体から直接ＲＡＭ１１３にプログラムを読み込んで実行するようにしてもよい。
【００２１】
また、表示制御装置によっては、本実施形態のマイク１４からの音声入力を認識する音声認識プログラム、音声認識プログラムによる認識に応じて、表示装置１５に画像を表示する画像表示プログラム、表示された画像を分割し、分割画像同士の境界部分を表示する画像分割プログラム、画像分割プログラムによる分割に応じて、表示装置１５に表示された画像の拡大・縮小を行う画像表示変更プログラム、その他として表示制御装置として機能させるための各種プログラムなどをあらかじめＲＯＭ１１２に記憶させておき、これをＣＰＵ１１１が実行するようにしてもよい。
さらに、本実施形態の画像表示プログラムなどの各種プログラムやデータを、通信制御装置を介して他の記憶媒体からダウンロードし、実行するようにしてもよい。
なお、本実施形態の表示制御装置は、パーソナルコンピュータやワードプロセッサなどを含むコンピュータシステムで構成するだけでなく、ＬＡＮ（ローカル・エリア・ネットワーク）のサーバ、コンピュータ（パソコン）通信のホスト、インターネット上に接続されたコンピュータシステムなどによって構成することも可能である。また、ネットワーク上の各機器に機能分散させ、ネットワーク全体で表示制御装置を構成することも可能である。
【００２２】
以上、本実施の形態の表示制御装置および表示制御方法では、受け付けた音声指示に応じて、表示された画像を分割し、分割画像のいずれかの表示指示を受け付けたときに、該当する分割画像を拡大表示するので、作業者は、表示された画像の任意部分の拡大表示を簡便に行うことができ、操作性向上を図ることができる。
また、本実施の形態の表示制御装置および表示制御方法によると、音声指示に応じて分割された分割画像同士の境界部分は、重なり領域を有するので、境界部分の線によって拡大画像が切れてしまうことを防止することができる。
また、本実施の形態の表示制御装置および表示制御方法では、縮小指示を受け付けた場合、拡大した分割画像を縮小表示するので、作業者は、表示された画像の任意部分の縮小表示を簡便に行うことができ、操作性向上を図ることができる。
【００２３】
【発明の効果】
以上説明したように、本発明の表示制御装置および表示制御方法は、受け付けた音声指示に応じて、表示された画像を分割し、分割画像のいずれかの表示指示を受け付けたときに、該当する分割画像を拡大表示するので、作業者は、表示された画像の任意部分の拡大表示を簡便に行うことができ、作業者の操作性向上を図ることができる。
【図面の簡単な説明】
【図１】本実施形態に係る表示制御装置の概観を示した図である。
【図２】表示制御装置の具体的な構成を示した図である。
【図３】表示制御処理の処理手順を示したフローチャートである。
【図４】表示制御処理の各段階で表示装置に表示される画像状態を示した図である。
【図５】表示制御処理の各段階で表示装置に表示される画像状態を示した図である。
【図６】重なり領域を示した図である。
【符号の説明】
１１　　　制御部
１２　　　キーボード
１３　　　マウス
１４　　　マイク
１５　　　表示装置
２０　　　記憶装置
４１、４２、４３、４４　　分割画像
４１ｅ、４３ｅ　　境界線
１００　　表示制御装置
１１１　　ＣＰＵ
１１２　　ＲＯＭ
１１３　　ＲＡＭ
４１０　　拡大画像
４１２、４１３、４２４、４３４　　重なり領域
【図１】
2004029933.tif 000003
【図２】
2004029933.tif 000004
【図３】
2004029933.tif 000005
【図４】
2004029933.tif 000006
【図５】
2004029933.tif 000007
【図６】
2004029933.tif 000008